(57)【特許請求の範囲】
【請求項１】
略直方体形状を有し、一方側の端部にグリップ部を有するカメラ本体と、
前記カメラ本体の被写体側の面に備えられるレンズ又はレンズマウントと、
前記カメラ本体の撮像側の面に備えられるディスプレーユニットと、
前記カメラ本体内に備えられるイメージセンサーと、
露光開口を有する地板と、前記露光開口を開閉するシャッター幕と、前記シャッター幕を開閉駆動する駆動部と、前記駆動部の駆動力をチャージするチャージ部と、を備え、前記地板の光軸方向と直交する方向においての一方側の端部近傍に前記チャージ部が配置されたスクエア型のフォーカルプレーンシャッターユニットであって、前記カメラ本体内において前記イメージセンサーの被写体側である直前に配置され、かつ、前記チャージ部が光軸方向から見たときに前記グリップ部の範囲内に配置されると共に、前記チャージ部と前記駆動部とが並列して配置されるフォーカルプレーンシャッターユニットと、
前記カメラ本体内において光軸方向と直交する方向から見たときに前記イメージセンサーと前記ディスプレーユニットとの間に全てが配置され、かつ、前記カメラ本体の前記グリップ部を有する端部と反対側の端部にのみ配置されるバッテリーと、を備え、
前記グリップ部の範囲は、被写体側に向かって突出する指掛かりとして機能する突出部の範囲であるデジタルカメラ。
【請求項２】
前記カメラ本体は、前記グリップ部よりも厚い厚さの本体部を有し、
前記本体部の被写体側の面に前記レンズ又は前記レンズマウントが配置され、
前記本体部の撮像側の面に前記ディスプレーユニットが配置され、
前記本体部の範囲内に前記イメージセンサー及び前記バッテリーが配置される、
請求項１に記載のデジタルカメラ。
【請求項４】
前記カメラ本体内に前記バッテリーを収容するバッテリー室を備え、
前記バッテリー室に前記バッテリーが収容される、
請求項１又は２に記載のデジタルカメラ。
【請求項５】
前記カメラ本体は、前記グリップ部を有する端部と反対側の端部の端面に前記バッテリーを前記バッテリー室に装填するためのバッテリー挿入口を有する、
請求項４に記載のデジタルカメラ。
【請求項６】
前記カメラ本体は、前記グリップ部を有する端部と反対側の端部の端面に前記バッテリー室を開閉する蓋部を有する、請求項４又は５に記載のデジタルカメラ。
【請求項７】
電子部品が実装された基板を更に備え、
前記基板は、前記カメラ本体内において前記イメージセンサーと前記ディスプレーユニットとの間に配置され、かつ、前記バッテリーの配置位置に切欠き部を有する、
請求項１、２、４から６のいずれか１項に記載のデジタルカメラ。
【請求項８】
前記フォーカルプレーンシャッターユニットは、前記チャージ部が前記グリップ部内に配置される、
請求項１、２、４から７のいずれか１項に記載のデジタルカメラ。
【請求項９】
前記イメージセンサーは、３５ミリ判フルサイズのイメージセンサーよりも大きなセンサーサイズを有する、
請求項１、２、４から８のいずれか１項に記載のデジタルカメラ。
【請求項１０】
中判サイズのイメージセンサーである、
請求項９に記載のデジタルカメラ。
【請求項１１】
ノンレフレックス型のデジタルカメラである、
請求項１、２、４から１０のいずれか１項に記載のデジタルカメラ。
【発明の詳細な説明】
【技術分野】
【０００１】
本発明は、デジタルカメラに係り、特にスクエア型のフォーカルプレーンシャッターを備えたデジタルカメラに関する。
【背景技術】
【０００２】
レンズ交換式のカメラの多くは、シャッターにフォーカルプレーンシャッターを採用している。フォーカルプレーンシャッターとは、焦点面の直前に設置されるシャッターのことである。フォーカルプレーンシャッターは、先幕と後幕の２枚のシャッター幕を備え、その２枚のシャッター幕の間隔（スリット）と走行速度の変化によって露出時間を制御する。【０００３】
フォーカルプレーンシャッターは、その機構によりドラム型、スクエア型、ロータリー型の３つに大別できる。現在はスクエア型が主流である。【０００４】
スクエア型は、薄板状のシャッター羽根を複数並べてシャッター幕とする方式である。閉じているときは、シャッター羽根の間隔を広げて露光開口を遮光し、開いているときは、シャッター羽根同士が重なることで畳まれて露光開口外の領域に退避する。シャッター幕を構成するシャッター羽根は、アーム部材に支持されており、アーム部材が回転することによって、互いに平行に移動する。スクエア型は、シャッター幕が上下方向に走行して露光開口を開閉することから、上下走行方式、縦走り方式などとも称される。また、シャッター幕を構成するシャッター羽根の形状からブレード式などとも称される。【０００５】
特許文献１には、スクエア型のフォーカルプレーンシャッターを備えたカメラにおいて、全体のコンパクト化を図るために、カメラ本体とグリップ部と結合部分にフォーカルプレーンシャッターの駆動ユニットを配置することが提案されている。【０００６】
また、特許文献２には、スクエア型のフォーカルプレーンシャッターを備えたデジタルカメラにおいて、全体のコンパクト化を図るために、フォーカルプレーンシャッターの駆動機構部をシャッター羽根の作動面より撮像素子側に配置することが提案されている。【０００７】
また、特許文献３には、スクエア型のフォーカルプレーンシャッターを備えたデジタルカメラにおいて、全体のコンパクト化を図るために、フォーカルプレーンシャッターの駆動機構部をグリップ部とは反対側の領域に配置することが提案されている。
【先行技術文献】
【特許文献】
【０００８】
【特許文献１】特開平９−１４６１４５号公報
【特許文献２】特開２００３−１５１９１号公報
【特許文献３】特開２００５−２６６２０９号公報
【発明の概要】
【発明が解決しようとする課題】
【０００９】
フォーカルプレーンシャッターを使用したカメラは、シャッター作動時に振動が発生しやすいという問題がある（いわゆるシャッターショック）。そして、この問題は、イメージセンサーのサイズが大きくなるほど顕著となる。また、カメラが軽量になるほど顕著となる。【００１０】
特許文献１から３に記載のカメラは、シャッター作動時の振動への対策がなされておらず、カメラ振れが生じやすいという欠点がある。この点について、更に詳しく説明する。カメラ振れについては、シャッター動作に起因するものを除くと、その多くが手振れに起因して発生する。手振れによる振動は、１〜１５Ｈｚ程度の低い周波数の振動である。この種の低い周波数の振動は、一般的な手振れ補正技術を用いれば、数分の一程度にまで低減できる。【００１１】
しかし、シャッター動作に起因して発生する振動は、高速で走行するシャッター羽根を瞬時に停止させることの反力によって発生するものであるため、その振動の周波数は、手振れに起因して発生する振動の周波数よりもはるかに高いものとなる。したがって、手振れの周波数領域の補正に最適化された技術を用いても、シャッター動作に起因して発生する振動を大幅に低減させることはできない。【００１２】
特に、中判カメラは、３５ミリ判カメラよりも大きな露出開口を有するため、フォーカルプレーンシャッターを使用すると、シャッター動作に起因して発生する振動が顕著になる。すなわち、露光開口が大きくなると、シャッター羽根の走行距離も長くなり、その分、シャッター羽根の走行エネルギーも大きくなる（走行距離の二乗に比例して走行エネルギーが大きくなる）。その結果、停止時に発生する反力が大きくなり、そのままでは無視できないレベルの振動が発生する。【００１３】
また、近年、デジタルカメラで使用されるイメージセンサーの画素サイズは、銀塩フィルムの銀塩粒子のサイズよりもはるかに小さくなっており（おおよそ１／１０程度）、同じ画面サイズであっても、カメラ振れの影響は、銀塩カメラよりもデジタルカメラの方が顕著となる。【００１４】
本発明は、このような事情に鑑みてなされたものであり、軽量かつコンパクトな構成で安定したシャッター動作が可能であり、かつ、イメージセンサーのサイズが大きいほど影響が顕著になるシャッター動作に伴う振動のカメラへの伝達を抑制できるデジタルカメラを提供することを目的とする。
【課題を解決するための手段】
【００１５】
上記課題を解決するための手段は次のとおりである。【００１６】
（１）一方側の端部にグリップ部を有するカメラ本体と、カメラ本体の正面に備えられるレンズ又はレンズマウントと、カメラ本体の背面に備えられるディスプレーユニットと、カメラ本体内に備えられるイメージセンサーと、露光開口を有する地板と、露光開口を開閉するシャッター幕と、シャッター幕を開閉駆動する駆動部と、駆動部の駆動力をチャージするチャージ部と、を備え、地板の一方側の端部にチャージ部が配置されたスクエア型のフォーカルプレーンシャッターユニットであって、カメラ本体内においてイメージセンサーの直前に配置され、かつ、チャージ部がグリップ部の範囲内に配置されるフォーカルプレーンシャッターユニットと、カメラ本体内においてイメージセンサーとディスプレーユニットとの間に配置され、かつ、グリップ部を有する端部と反対側の端部に配置されるバッテリーと、を備えたデジタルカメラ。【００１７】
本態様によれば、カメラ本体の一方側の端部にグリップ部が備えられ、そのグリップ部の範囲内にフォーカルプレーンシャッターユニットのチャージ部が配置される。また、イメージセンサーとディスプレーユニットとの間であって、グリップ部とは反対側の端部にバッテリーが配置される。グリップ部の範囲内にチャージ部を配置することにより、駆動部とチャージ部とを近接して配置できる。これにより、フォーカルプレーンシャッターの駆動ユニットをコンパクト化でき、かつ、大きなトルクでチャージする場合であっても、安定した動作でチャージできる。また、駆動部とチャージ部とを近接して配置できることにより、手持ちによる撮影時にシャッター幕の回転中心付近を手でグリップでき、振動の発生を効果的に抑制できる。すなわち、振動の主な原因は、シャッター幕のブレーキ時に受けるモーメント（シャッター幕の回転中心を中心として受けるモーメント）であるので、シャッター幕の回転中心付近を手でグリップすることにより、振動の発生を効果的に抑制できる。また、グリップ部とは反対側の端部にバッテリーを配置することにより、グリップ部を中心とした慣性モーメントを大きくでき、振動の発生を更に効果的に抑制できる。この点について更に詳しく説明する。本態様によれば、シャッター幕の回転中心をグリップ部に接近させ、更にカメラの回転中心の反対側にバッテリーを配置したレイアウトにできるが、このようなレイアウトを採用することにより、重量物であるバッテリーをシャッター幕の回転中心から遠ざけた位置に配置できる。同じ質量でも質点が回転の中心から離れるほど、その軸の慣性モーメントは大きくなるので、重量物であるバッテリーをシャッター幕の回転中心から遠ざけた位置に配置することにより、シャッター幕の回転軸を中心とした回転モーメント（シャッター幕の回転軸を中心とする光軸と平行な軸周りの回転モーメント）を大きくできる。シャッター動作に起因して発生する振動は、シャッター幕の回転軸を中心に発生するので、シャッター幕の回転軸を中心とした回転モーメントを大きくすることにより、シャッター動作に起因した振動を抑制する方向の慣性モーメントを大きくできる。この結果、シャッター動作に起因して発生する振動をカメラに伝達しにくくでき、カメラ振れの発生を効果的に抑制できる。また、本態様によれば、イメージセンサーとディスプレーユニットとの間にバッテリーを配置することにより、横方向の寸法もコンパクト化できる。【００１８】
（２）カメラ本体は、グリップ部よりも厚い厚さの本体部を有し、本体部の正面にレンズ又はレンズマウントが配置され、本体部の背面にディスプレーユニットが配置され、本体部の範囲内にイメージセンサー及びバッテリーが配置される、上記（１）のデジタルカメラ。【００１９】
本態様によれば、カメラ本体にグリップ部の厚さよりも厚い本体部が備えられる。そして、その本体部にレンズ又はレンズマウント、ディスプレーユニット、イメージセンサー及びバッテリーが備えられる。これにより、全体をコンパクト化しつつグリップ性を向上できる。【００２０】
（３）フォーカルプレーンシャッターユニットは、チャージ部と駆動部とが並列して配置される、上記（１）又は（２）のデジタルカメラ。【００２１】
本態様によれば、チャージ部と駆動部とが並列して配置される。これにより、チャージ部と駆動部とをより近接させて配置できる。この場合、露光開口とチャージ部との間に駆動部が配置される。【００２２】
（４）カメラ本体内にバッテリーを収容するバッテリー室を備え、バッテリー室にバッテリーが収容される、上記（１）から（３）のいずれか１のデジタルカメラ。【００２３】
本態様によれば、カメラ本体内にバッテリー室が備えられる。これにより、バッテリーを着脱可能に装填できる。【００２４】
（５）カメラ本体は、グリップ部を有する端部と反対側の端部の端面にバッテリーをバッテリー室に装填するためのバッテリー挿入口を有する、上記（４）のデジタルカメラ。【００２５】
本態様によれば、グリップ部とは反対側の端部の端面にバッテリーをバッテリー室に装填するためのバッテリー挿入口が備えられる。これにより、バッテリーの着脱を容易にできる。【００２６】
（６）カメラ本体は、グリップ部を有する端部と反対側の端部の端面にバッテリー室を開閉する蓋部を有する、上記（４）又は（５）のデジタルカメラ。【００２７】
本態様によれば、グリップ部とは反対側の端部の端面にバッテリー室を開閉する蓋部が備えられる。これにより、バッテリーの着脱を容易にできる。【００２８】
（７）電子部品が実装された基板を更に備え、基板は、カメラ本体内においてイメージセンサーとディスプレーユニットとの間に配置され、かつ、バッテリーの配置位置に切欠き部を有する、上記（１）から（６）のいずれか１のデジタルカメラ。【００２９】
本態様によれば、イメージセンサーとディスプレーユニットとの間に配置される基板に切欠き部が備えられ、その切欠き部にバッテリーが配置される。【００３０】
（８）フォーカルプレーンシャッターユニットは、チャージ部がグリップ部内に配置される、上記（１）から（７）のいずれか１のデジタルカメラ。【００３１】
本態様によれば、チャージ部がグリップ部内に配置される。グリップ部は、カメラ本体の一方側の端部に備えられるので、このグリップ部内にチャージ部を配置することにより、横方向の寸法をコンパクト化できる。【００３２】
（９）イメージセンサーは、３５ミリ判フルサイズのイメージセンサーよりも大きなセンサーサイズを有する、上記（１）から（８）のいずれか１のデジタルカメラ。【００３３】
本態様によれば、３５ミリ判フルサイズのイメージセンサーよりも大きなセンサーサイズのイメージセンサーが備えられる。シャッター作動時に発生する振動は、センサーサイズが大きくなるほど大きくなるので、イメージセンサーのサイズが大きくなるほど、本発明は有効に作用する。【００３４】
なお、３５ミリ判フルサイズのイメージセンサーとは、１３５フィルム（３５ｍｍフィルム）に対応したサイズのイメージセンサーのことである。約２４ｍｍ×３６ｍｍ（縦×横）の画面サイズを有する。【００３５】
（１０）中判サイズのイメージセンサーである、上記（９）のデジタルカメラ。【００３６】
本態様によれば、イメージセンサーが中判サイズのイメージセンサーで構成される。なお、中判サイズとは、ブローニーフィルムに対応したサイズのことである。６×４．５判に対応したイメージセンサーの場合、その画面サイズ（センサーサイズ）は、約３３ｍｍ×４０ｍｍ（縦×横）である。【００３７】
（１１）ノンレフレックス型のデジタルカメラである、上記（１）から（１０）のいずれか１項に記載のデジタルカメラ。【００３８】
本態様によれば、デジタルカメラがノンレフレックス型のデジタルカメラで構成される。ノンレフレックス型のデジタルカメラとは、レンズからの入射光を光学式ファインダーに導くためのレフレックスミラーのないデジタルカメラのことである。ミラーレス式デジタルカメラ、ミラーレス機などとも称される。ノンレフレックス型のデジタルカメラの場合、ミラーボックス、ペンタプリズム等が不要になることから、全体を軽量かつコンパクトにできる。なお、カメラが軽量になるほどシャッター作動時の振動は顕著になるので、カメラが軽量になるほど、本発明は有効に機能する。
【発明の効果】
【００３９】
本発明によれば、軽量かつコンパクトな構成で安定したシャッター動作が可能となる。また、イメージセンサーのサイズが大きいほど影響が顕著になるシャッター動作に伴う振動のカメラへの伝達を抑制できる。
【図面の簡単な説明】
【００４０】
【図１】デジタルカメラの外観構成を示す正面図
【図２】デジタルカメラの外観構成を示す上面図
【図３】デジタルカメラの外観構成を示す背面図
【図４】デジタルカメラの外観構成を示す左側面図
【図５】手持ち撮影時におけるデジタルカメラのグリップ状態を示す正面図
【図６】手持ち撮影時におけるデジタルカメラのグリップ状態を示す上面図
【図７】デジタルカメラの内部の概略構成を示す上面透視図
【図８】バッテリー室の配置構造を示す正面透視図
【図９】フォーカルプレーンシャッターユニットの概略構成を示す正面図
【図１０】フォーカルプレーンシャッターユニットの配置構造を示す正面透視図
【発明を実施するための形態】
【００４１】
以下、添付図面に従って本発明を実施するための好ましい形態について詳説する。
【００４２】
《外観構成》
図１、図２、図３、図４は、それぞれデジタルカメラの外観構成を示す正面図、上面図、背面図、左側面図である。また、図５、図６は、それぞれ手持ち撮影時におけるデジタルカメラのグリップ状態を示す正面図、上面図である。
【００４３】
なお、本明細書では、光軸Ｌに沿う方向を前後方向とし、被写体側を前方向とする。また、光軸Ｌと直交する面において、イメージセンサー７０の長辺に沿う方向（図１のｘ方向）を横方向又は左右方向とし、イメージセンサー７０の短辺に沿う方向（図１のｙ方向）を縦方向又は上下方向とする。
【００４４】
本実施の形態のデジタルカメラ１は、レンズ交換式の中判デジタルカメラであり、かつ、ノンレフレックス型のデジタルカメラである。
【００４５】
レンズ交換式とは、レンズを交換できるデジタルカメラのことである。また、中判デジタルカメラとは、イメージセンサーに中判サイズのイメージセンサーを使用したデジタルカメラのことである。中判サイズとは、ブローニーフィルムに対応したサイズのことである。中判サイズのイメージセンサーは、３５ミリ判フルサイズのイメージセンサーよりも大きな画面サイズを有する。なお、３５ミリ判フルサイズのイメージセンサーの画面サイズは、約２４ｍｍ×３６ｍｍ（縦×横）である。本実施の形態のデジタルカメラ１は、６×４．５判に対応したイメージセンサーとして、画面サイズ（センサーサイズ）が約３３ｍｍ×４０ｍｍ（縦×横）のイメージセンサーが使用される。
【００４６】
ノンレフレックス型とは、レンズからの入射光を光学式ファインダーに導くためのレフレックスミラーのないデジタルカメラのことである。
【００４７】
図１から図４に示すように、デジタルカメラ１は、レンズが装着可能なカメラ本体１０を備える。なお、図１から図４は、レンズ２を取り外した状態を示しており、図５及び図６は、レンズ２を取り付けた状態を示している。
【００４８】
カメラ本体１０には、レンズ２を装着するためのレンズマウント１４、メインディスプレー１６、サブディスプレー１８、電子ビューファインダー２０、各種操作ボタン類、バッテリーカバー４０等が備えられる。
【００４９】
〈カメラ本体〉
カメラ本体１０は、本体部１０Ａと、張出部１０Ｂとを有し、正面視において、図１に示すように、横長の形状を有する。カメラ本体１０の底面は、イメージセンサー７０の長辺と平行である。
【００５０】
本体部１０Ａは、全体として丸みを帯びた直方体の箱形状を有する。張出部１０Ｂは、本体部１０Ａの片側に備えられ、本体部１０Ａの一部が横方向に張り出した形状を有する。張出部１０Ｂは、本体部１０Ａよりも薄く、手持ち撮影時のグリップ領域として機能する。
【００５１】
張出部１０Ｂは、その端部がグリップ部１２として構成される。グリップ部１２は、手持ち撮影時にユーザーがグリップする部分である。グリップ部１２は、本体部１０Ａよりも薄く構成される。
【００５２】
グリップ部１２には、カメラ本体１０の正面側にグリップ２２が備えられる。グリップ２２は、前方に向かって台形状に突出する突出部として構成される。図５、図６に示すように、手持ち撮影する際、ユーザーは、このグリップ２２を指掛かりとして、カメラ本体１０をグリップする。
【００５３】
また、グリップ部１２には、カメラ本体１０の背面側にサムレスト２４が備えられる。サムレスト２４は、後方に向かって凸状に突出する突出部として構成される。図５、図６に示すように、手持ち撮影する際、ユーザーは、このサムレスト２４に親指を掛けて、カメラ本体１０をグリップする。
【００５４】
〈レンズマウント〉
レンズマウント１４は、レンズの取り付け部である。図１に示すように、レンズマウント１４は、カメラ本体１０の正面に備えられる。レンズマウント１４は、カメラ本体１０の本体部１０Ａのほぼ中央に配置される。
【００５５】
〈メインディスプレー〉
メインディスプレー１６は、画像等を表示するための大画面ディスプレーであり、図２に示すように、カメラ本体１０の背面に備えられる。メインディスプレー１６は、カメラ本体１０の本体部１０Ａのほぼ中央に配置される。メインディスプレー１６は、カラーＬＣＤ（ＬＣＤ：Liquid Crystal Display（液晶ディスプレー））で構成される。
【００５６】
〈サブディスプレー〉
サブディスプレー１８は、カメラの設定内容等を表示するための小画面ディスプレーである。サブディスプレー１８は、カメラ本体１０の上面（天面）に備えられる。サブディスプレー１８は、カメラ本体１０の張出部１０Ｂに備えられる。サブディスプレー１８は、たとえば、照明を備えた反射型ＬＣＤで構成される。
【００５７】
〈電子ビューファインダー〉
電子ビューファインダー２０は、カメラ本体１０の本体部１０Ａに備えられ、本体部１０Ａの上面部に配置される。電子ビューファインダー２０は、カメラ本体１０の背面側に接眼部２０Ａを有する。
【００５８】
〈操作ボタン類〉
カメラ本体１０には、シャッターボタン３０の他、デジタルカメラ１を操作するための各種操作ボタン類が備えられる。
【００５９】
シャッターボタン３０は、撮影の実行を指示する操作部材である。シャッターボタン３０は、いわゆる半押しと全押しとからなる二段式のスイッチで構成される。シャッターボタン３０が半押しされると、測光、測距等が行われ、全押しされると、本撮影が実施される。シャッターボタン３０は、カメラ本体１０をグリップした際、人指し指で操作可能な位置に配置される。本実施の形態のデジタルカメラ１では、カメラ本体１０の上面にシャッターボタン３０が配置されている。
【００６０】
その他の操作ボタン類には、デジタルカメラ１の電源をオン／オフする電源レバー、メニュー画面を呼び出すメニューボタン、十字ボタン、ＯＫボタン、キャンセルボタン、再生ボタン、消去ボタン、コマンドダイヤル等が含まれる。
【００６１】
〈バッテリーカバー〉
バッテリーカバー４０は、バッテリー室９０のバッテリー挿入口９０Ａを開閉するための蓋部である。バッテリー室９０については、後述する。図４に示すように、バッテリーカバー４０は、本体部１０Ａの端面（図１において右側面）に備えられる。すなわち、グリップ部１２とは反対側の端面に備えられる。
【００６２】
《内部構造》
図７は、デジタルカメラの内部の概略構成を示す上面透視図である。
【００６３】
デジタルカメラ１は、カメラ本体１０の内部にイメージセンサー７０、メイン基板８０、バッテリー室９０、ディスプレーユニット１００、フォーカルプレーンシャッターユニット１１０等が備えられる。
【００６４】
〈イメージセンサー〉
イメージセンサー７０は、光軸上に配置される。上記のように、イメージセンサー７０には、中判サイズのイメージセンサーが使用される。本実施の形態のデジタルカメラ１では、画面サイズが約３３ｍｍ×４０ｍｍ（縦×横）のカラーイメージセンサーが使用される。
【００６５】
イメージセンサー７０には、ＣＣＤイメージセンサー（ＣＣＤ： Charged Coupled Device）、ＣＭＯＳイメージセンサー（ＣＭＯＳ：Complementary Metal Oxide Semiconductor）等の公知のイメージセンサーを使用できる。
【００６６】
〈メイン基板〉
メイン基板８０は、デジタルカメラ１の主となる基板であり、各種の電子部品が実装される。メイン基板８０は、イメージセンサー７０とディスプレーユニット１００との間に配置される。詳細な配置については、後述する。
【００６７】
〈バッテリー室〉
図８は、バッテリー室の配置構造を示す正面透視図である。
【００６８】
バッテリー室９０は、バッテリー９２の収容部である。本実施の形態のデジタルカメラ１のバッテリー９２は、直方体形状を有する。バッテリー室９０は、このバッテリー９２の形状体に対応した直方体の箱形状を有する。バッテリー室９０は、イメージセンサー７０とディスプレーユニット１００との間に配置され、かつ、グリップ部１２とは反対側の端部に配置される。
【００６９】
バッテリー９２は、バッテリー挿入口９０Ａからバッテリー室９０に装填される。バッテリー挿入口９０Ａは、カメラ本体１０のグリップ部１２を有する端部と反対側の端部の端面に備えられる。バッテリー挿入口９０Ａには、開閉可能なバッテリーカバー４０が備えられる。バッテリー９２は、バッテリー挿入口９０Ａから横方向に挿入されて、バッテリー室９０に装填される。
【００７０】
なお、メイン基板８０には、バッテリー室９０の配置位置に対応して切欠き部８２が備えられる。バッテリー室９０は、この切欠き部８２に収まるように配置される。
【００７１】
〈ディスプレーユニット〉
ディスプレーユニット１００は、メインディスプレー１６を構成するユニットである。上記のように、ディスプレーユニット１００は、カラーＬＣＤで構成される。ディスプレーユニット１００は、カメラ本体１０の本体部１０Ａの背面に配置される。
【００７２】
〈フォーカルプレーンシャッターユニット〉
フォーカルプレーンシャッターユニット１１０は、デジタルカメラ１のメカシャッターを構成するユニットである。フォーカルプレーンシャッターユニット１１０は、スクエア型であり、複数のシャッター羽根でシャッター幕が構成される。フォーカルプレーンシャッターユニット１１０は、イメージセンサー７０の直前に配置される。詳細な配置については、後述する。
【００７３】
図９は、フォーカルプレーンシャッターユニットの概略構成を示す正面図である。同図は、先幕が閉じ、後幕が開いた状態が示されている。
【００７４】
フォーカルプレーンシャッターユニット１１０は、露光開口１１２を備えた地板１１４と、地板１１４の露光開口１１２を開閉するシャッター幕１１６と、シャッター幕１１６を開閉駆動する駆動ユニット１２０と、を備えて構成される。
【００７５】
地板１１４は、矩形の平板形状を有する。露光開口１１２は、矩形の開口部として地板１１４に備えられる。露光開口１１２は、正面から見て地板１１４の右端に備えられる。露光開口１１２のサイズは、イメージセンサー７０の画面サイズに対応したサイズとされる。
【００７６】
シャッター幕１１６は、先幕１１６Ａと後幕１１６Ｂとで構成される。先幕１１６Ａ及び後幕１１６Ｂは、それぞれ４枚のシャッター羽根１１６ａ、１１６ｂで構成される。
【００７７】
先幕１１６Ａを構成する各シャッター羽根１１６ａは、図示しない先幕駆動アームに取り付けられており、この先幕駆動アームを回転（揺動）させることにより、互いに平行移動して露光開口１１２を開閉する。
【００７８】
上記のように、図９は、先幕１１６Ａが閉じた状態が示されている。この状態から先幕駆動アームを時計回りに回転させると、各シャッター羽根１１６ａが互いに重なるように畳まれて、露光開口１１２が開かれる。また、開いた状態から先幕駆動アームを反時計周りに回転させると、各シャッター羽根１１６ａの間隔が広がるように展開されて、露光開口１１２が閉じられる。
【００７９】
後幕１１６Ｂを構成する各シャッター羽根１１６ｂは、後幕駆動アーム１１８Ｂに取り付けられており、この後幕駆動アーム１１８Ｂを回転（揺動）させることにより、互いに平行移動して露光開口１１２を開閉する。
【００８０】
上記のように、図９は、後幕１１６Ｂが開いた状態が示されている。この状態から後幕駆動アームを時計回りに回転させると、各シャッター羽根１１６ｂの間隔が広がるように展開されて、露光開口１１２が閉じられる。また、閉じた状態から後幕駆動アーム１１８Ｂを反時計周りに回転させることにより、各シャッター羽根１１６ｂが互いに重なり合うように畳まれて、露光開口１１２が開かれる。
【００８１】
駆動ユニット１２０は、シャッター幕１１６を開閉駆動する駆動部１２２と、駆動部１２２の駆動力をチャージするチャージ部１２４とを備えて構成される。駆動ユニット１２０は、地板１１４の一方側の端部、すなわち、露光開口１１２とは反対側の端部に備えられる。
【００８２】
〔駆動部〕
駆動部１２２は、先幕１１６Ａの駆動軸である先幕駆動軸１２４Ａと、後幕１１６Ｂの駆動軸である後幕駆動軸１２４Ｂと、先幕駆動アームを回転駆動する先幕駆動レバー１２６Ａと、後幕駆動アーム１１８Ｂを回転駆動する後幕駆動レバー１２６Ｂと、先幕駆動レバー１２６Ａを付勢する先幕付勢バネ１２８Ａと、後幕駆動レバー１２６Ｂを付勢する後幕付勢バネ１２８Ｂと、先幕駆動レバー１２６Ａを保持する先幕電磁石１３０Ａと、後幕駆動レバー１２６Ｂを保持する後幕電磁石１３０Ｂと、先幕１１６Ａの停止時の衝撃を緩衝する図示しない先幕緩衝部材と、後幕１１６Ｂの停止時の衝撃を緩衝する図示しない後幕緩衝部材と、を備えて構成される。
【００８３】
先幕駆動軸１２４Ａは、先幕１１６Ａの駆動軸であり、先幕１１６Ａを構成する各シャッター羽根１１６ａの回転中心である。各シャッター羽根１１６ａが取り付けられた先幕駆動アームは、この先幕駆動軸１２４Ａに回転自在にされる。
【００８４】
後幕駆動軸１２４Ｂは、後幕１１６Ｂの駆動軸であり、後幕１１６Ｂを構成する各シャッター羽根１１６ｂの回転中心である。各シャッター羽根１１６ｂが取り付けられた後幕駆動アーム１１８Ｂは、この後幕駆動軸１２４Ｂに回転自在にされる。
【００８５】
先幕駆動レバー１２６Ａは、先幕駆動アームを回転駆動する部材である。先幕駆動レバー１２６Ａは、先幕駆動軸１２４Ａに回転自在に支持される。先幕駆動レバー１２６Ａは、先幕駆動ピン１２６ａを有し、この先幕駆動ピン１２６ａを介して先幕駆動アームに連結される。先幕駆動レバー１２６Ａが先幕駆動軸１２４Ａを中心に回転すると、その回転が先幕駆動ピン１２６ａを介して先幕駆動アームに伝達され、先幕駆動アームが先幕駆動軸１２４Ａを中心に回転する。
【００８６】
後幕駆動レバー１２６Ｂは、後幕駆動アーム１１８Ｂを回転駆動する部材である。後幕駆動レバー１２６Ｂは、後幕駆動軸１２４Ｂに回転自在に支持される。後幕駆動レバー１２６Ｂは、後幕駆動ピン１２６ｂを有し、この後幕駆動ピン１２６ｂを介して後幕駆動アーム１１８Ｂに連結される。後幕駆動レバー１２６Ｂが後幕駆動軸１２４Ｂを中心に回転すると、その回転が後幕駆動ピン１２６ｂを介して後幕駆動アーム１１８Ｂに伝達され、後幕駆動アーム１１８Ｂが後幕駆動軸１２４Ｂを中心に回転する。
【００８７】
先幕付勢バネ１２８Ａは、先幕駆動レバー１２６Ａを付勢する部材であり、先幕１１６Ａを開く方向に付勢する。先幕１１６Ａを開く方向は、図９において、先幕駆動軸１２４Ａを中心とした時計回りの方向である。先幕付勢バネ１２８Ａは、ねじり棒バネで構成される。先幕付勢バネ１２８Ａは、その内周部に先幕駆動軸１２４Ａが嵌め込まれて、先幕駆動軸１２４Ａに取り付けられる。先幕付勢バネ１２８Ａは、一端が地板１１４に備えられたバネ受け１３２Ａに掛けられ、他端が先幕駆動レバー１２６Ａに備えられたバネ受け１３４Ａに掛けられて、先幕駆動レバー１２６Ａを時計回りに付勢する。
【００８８】
後幕付勢バネ１２８Ｂは、後幕駆動レバー１２６Ｂを付勢する部材であり、後幕１１６Ｂを閉じる方向に付勢する。後幕１１６Ｂを閉じる方向は、図９において、後幕駆動軸１２４Ｂを中心とした時計回りの方向である。後幕付勢バネ１２８Ｂは、ねじり棒バネで構成される。後幕付勢バネ１２８Ｂは、その内周部に後幕駆動軸１２４Ｂが嵌め込まれて、後幕駆動軸１２４Ｂに取り付けられる。後幕付勢バネ１２８Ｂは、一端が地板１１４に備えられたバネ受け１３２Ｂに掛けられ、他端が後幕駆動レバー１２６Ｂに備えられたバネ受け１３４Ｂに掛けられて、後幕駆動レバー１２６Ｂを時計回りに付勢する。
【００８９】
先幕電磁石１３０Ａは、先幕駆動レバー１２６Ａを保持する部材であり、先幕１１６Ａを閉じた状態で保持する。すなわち、チャージした状態で保持する。先幕電磁石１３０Ａは、地板１１４に備えられる。先幕駆動レバー１２６Ａには、この先幕電磁石１３０Ａで保持する磁性体片１３６Ａが備えられる。先幕１１６Ａが閉じる位置まで先幕駆動レバー１２６Ａが回転すると、磁性体片１３６Ａが先幕電磁石１３０Ａに当接する。これにより、磁性体片１３６Ａを先幕電磁石１３０Ａで保持でき、先幕１１６Ａを閉じた状態で保持できる。
【００９０】
後幕電磁石１３０Ｂは、後幕駆動レバー１２６Ｂを保持する部材であり、後幕１１６Ｂを開いた状態で保持する。すなわち、チャージした状態で保持する。後幕電磁石１３０Ｂは、地板１１４に備えられる。後幕駆動レバー１２６Ｂには、この後幕電磁石１３０Ｂで保持する磁性体片１３６Ｂが備えられる。後幕１１６Ｂが閉じる位置まで後幕駆動レバー１２６Ｂが回転すると、磁性体片１３６Ｂが後幕電磁石１３０Ｂに当接する。これにより、磁性体片１３６Ｂを後幕電磁石１３０Ｂで保持でき、後幕１１６Ｂを開いた状態で保持できる。
【００９１】
先幕緩衝部材は、先幕１１６Ａの停止時の衝撃を緩衝する。先幕緩衝部材は、地板１１４に備えられる。先幕緩衝部材は、先幕１１６Ａの走行終わりに先幕駆動ピンに当接して、先幕１１６Ａの停止時の衝撃を緩衝する。
【００９２】
後幕緩衝部材は、後幕１１６Ｂの停止時の衝撃を緩衝する。後幕緩衝部材は、地板１１４に備えられる。後幕緩衝部材は、後幕１１６Ｂの走行終わりに後幕駆動ピンに当接して、後幕１１６Ｂの停止時の衝撃を緩衝する。
【００９３】
〔チャージ部〕
チャージ部１２４は、駆動部１２２の駆動力をチャージする。すなわち、先幕付勢バネ１２８Ａ及び後幕付勢バネ１２８Ｂの付勢力に抗して、先幕１１６Ａ及び後幕１１６Ｂを巻き上げる。
【００９４】
チャージ部１２４は、駆動部１２２に隣接して配置される。特に、本実施の形態のデジタルカメラ１では、駆動部１２２とチャージ部１２４とが並列して配置され、駆動部１２２の外側にチャージ部１２４が配置される。駆動部１２２の外側とは、駆動部１２２を基準として、露光開口１１２の反対側の意味である。チャージ部１２４を駆動部１２２に隣接して配置することにより、駆動ユニット１２０をコンパクト化でき、かつ、大きなトルクを効率よく駆動部１２２に伝達できる。特に、本実施の形態のデジタルカメラ１は、イメージセンサー７０に中判サイズのイメージセンサーを使用していることから、チャージに大きなトルクを有する。チャージ部１２４を駆動部１２２に隣接して配置することにより、駆動ユニット１２０をコンパクト化しつつ、大きなトルクを効率よく駆動部１２２に伝達でき、安定した巻き上げが可能になる。
【００９５】
チャージ部１２４は、先幕１１６Ａ及び後幕１１６Ｂをチャージするチャージレバー１４０と、チャージモーター１４２と、チャージモーター１４２の回転をチャージレバー１４０に伝達する回転伝達機構１４４と、を備えて構成される。
【００９６】
チャージレバー１４０は、先幕１１６Ａをチャージする先幕チャージレバー１４０Ａと、後幕１１６Ｂをチャージする後幕チャージレバー１４０Ｂと、チャージギア１４０Ｃと、回転軸１４０Ｄと、が一体化された構造を有する。先幕チャージレバー１４０Ａ、後幕チャージレバー１４０Ｂ、チャージギア１４０Ｃ及び回転軸１４０Ｄは、同軸上に配置される。チャージレバー１４０は、回転軸１４０Ｄが地板１１４に備えられた図示しない軸受に支持されて、地板１１４に回転自在に支持される。チャージレバー１４０の回転方向は、図９において、時計回りの方向である。
【００９７】
先幕チャージレバー１４０Ａは、回転することにより、先幕駆動レバー１２６Ａに当接して、先幕駆動レバー１２６Ａを回転させる。先幕駆動レバー１２６Ａには、バネ受け１３４Ａと同軸上にコロ１４６Ａが備えられる。先幕チャージレバー１４０Ａが回転すると、このコロ１４６Ａに先幕チャージレバー１４０Ａが当接して、先幕駆動レバー１２６Ａを回転させる。
【００９８】
後幕チャージレバー１４０Ｂは、回転することにより、後幕駆動レバー１２６Ｂに当接して、後幕駆動レバー１２６Ｂを回転させる。後幕駆動レバー１２６Ｂには、バネ受け１３４Ｂと同軸上にコロ１４６Ｂが備えられる。後幕チャージレバー１４０Ｂが回転すると、このコロ１４６Ｂに後幕チャージレバー１４０Ｂが当接して、後幕駆動レバー１２６Ｂを回転させる。
【００９９】
チャージモーター１４２は、地板１１４に備えられる。チャージモーター１４２は、その出力軸に駆動ギア１４８を有する。
【０１００】
回転伝達機構１４４は、ギア列で構成され、駆動ギア１４８とチャージギア１４０Ｃとの間で回転を伝達する。
【０１０１】
〔フォーカルプレーンシャッターの動作〕
（１）チャージ
チャージは、チャージモーター１４２を駆動することにより行われる。チャージモーター１４２を駆動すると、その出力軸の回転が、回転伝達機構１４４を介してチャージギア１４０Ｃに伝達され、チャージレバー１４０が回転する。このときチャージレバー１４０は、図９において、時計回りに回転する。
【０１０２】
チャージレバー１４０が回転すると、まず、先幕チャージレバー１４０Ａが、先幕駆動レバー１２６Ａのコロ１４６Ａに当接し、先幕駆動レバー１２６Ａを回転させる。このとき先幕駆動レバー１２６Ａは、図９において、反時計回りに回転する。また、先幕駆動レバー１２６Ａは、先幕付勢バネ１２８Ａの付勢力に抗して回転する。
【０１０３】
先幕駆動レバー１２６Ａが回転することにより、先幕駆動アームも回転する。これにより、先幕１１６Ａが閉じられてゆく。
【０１０４】
先幕駆動アームが回転して、先幕１１６Ａが完全に閉じられると、先幕駆動レバー１２６Ａに備えられた磁性体片１３６Ａが先幕電磁石１３０Ａに当接する。この当接のタイミングにあわせて先幕電磁石１３０Ａが駆動され、磁性体片１３６Ａが先幕電磁石１３０Ａに保持される。これにより、先幕１１６Ａのチャージが完了する。
【０１０５】
先幕１１６Ａが閉じるタイミングに合わせて、後幕チャージレバー１４０Ｂが、後幕駆動レバー１２６Ｂのコロ１４６Ｂに当接し、後幕駆動レバー１２６Ｂを回転させる。このとき後幕駆動レバー１２６Ｂは、図９において、反時計回りに回転する。また、後幕駆動レバー１２６Ｂは、後幕付勢バネ１２８Ｂの付勢力に抗して回転する。
【０１０６】
後幕駆動レバー１２６Ｂが回転することにより、後幕駆動アーム１１８Ｂも回転する。これにより、後幕１１６Ｂが開かれる。後幕１１６Ｂが完全に開かれる位置まで後幕駆動アーム１１８Ｂが回転すると、後幕駆動レバー１２６Ｂに備えられた磁性体片１３６Ｂが後幕電磁石１３０Ｂに当接する。この当接のタイミングにあわせて後幕電磁石１３０Ｂが駆動され、磁性体片１３６Ｂが後幕電磁石１３０Ｂに保持される。これにより、後幕１１６Ｂのチャージが完了する。
【０１０７】
（２）露光
露光は、先幕１１６Ａを開いた後、後幕１１６Ｂを閉じる動作によって行われる。
【０１０８】
まず、先幕電磁石１３０Ａによる磁性体片１３６Ａの保持が解除される。これにより、先幕駆動レバー１２６Ａが先幕付勢バネ１２８Ａの付勢力で回転する。そして、この回転に連動して、先幕駆動アームが回転し、先幕１１６Ａが開かれる。
【０１０９】
この後、露光時間に合わせて後幕電磁石１３０Ｂによる磁性体片１３６Ｂの保持が解除される。これにより、後幕駆動レバー１２６Ｂが後幕付勢バネ１２８Ｂの付勢力で回転する。そして、この回転に連動して、後幕駆動アーム１１８Ｂが回転し、後幕１１６Ｂが閉じられる。
【０１１０】
《内部レイアウト》
上記のように、カメラ本体１０の内部には、イメージセンサー７０、メイン基板８０、バッテリー室９０、ディスプレーユニット１００、フォーカルプレーンシャッターユニット１１０が配置される。
【０１１１】
図７に示すように、イメージセンサー７０は、カメラ本体内において、光軸Ｌ上に配置される。すなわち、その受光面の中心が光軸Ｌ上に位置するように配置される。また、その受光面が光軸Ｌに対して直交するように配置される。
【０１１２】
ディスプレーユニット１００もほぼ光軸Ｌ上に配置される。上記のように、ディスプレーユニット１００は、メインディスプレー１６を構成し、カメラ本体１０の背面に配置される。メインディスプレー１６の配置位置は、カメラ本体１０の本体部１０Ａであるので、ディスプレーユニット１００の配置位置もカメラ本体１０の本体部１０Ａである。
【０１１３】
メイン基板８０は、イメージセンサー７０とディスプレーユニット１００との間に配置される。メイン基板８０は、光軸Ｌに対して直交して配置される。
【０１１４】
バッテリー室９０もイメージセンサー７０とディスプレーユニット１００との間に配置される。特に、本実施の形態のデジタルカメラ１では、バッテリー室９０がカメラ本体１０の端部に寄せて配置される。ここでの端部とは、グリップ部１２とは反対側の端部である。これにより、重量物であるバッテリー９２が、グリップ部１２とは反対側の端部に配置される。
【０１１５】
また、バッテリー室９０は、フォーカルプレーンシャッターユニット１１０に対して相対的に後方に配置される。これにより、カメラ本体１０の横方向の寸法をコンパクトにできる。
【０１１６】
なお、図８に示すように、メイン基板８０には、バッテリー室９０の配置位置に対応して切欠き部８２が備えられる。バッテリー室９０は、この切欠き部８２に収まるように配置される。
【０１１７】
フォーカルプレーンシャッターユニット１１０は、イメージセンサー７０の直前に配置される。フォーカルプレーンシャッターユニット１１０は、その地板１１４が光軸Ｌに対して直交するように配置される。また、その露光開口１１２の中心が光軸Ｌ上に位置するように配置される。
【０１１８】
図１０は、フォーカルプレーンシャッターユニットの配置構造を示す正面透視図である。
【０１１９】
図１０に示すように、フォーカルプレーンシャッターユニット１１０は、そのチャージ部１２４がグリップ部１２の範囲ＧＡ内に配置される。特に、本実施の形態のデジタルカメラ１では、チャージ部１２４がグリップ部内に配置される。
【０１２０】
《作用》
上記のように、本実施の形態のデジタルカメラ１は、フォーカルプレーンシャッターユニット１１０の駆動部１２２とチャージ部１２４とが並列して配置される。これにより、フォーカルプレーンシャッターユニットの駆動ユニット１２０をコンパクト化でき、かつ、大きなトルクでチャージする場合であっても、安定して動作させることができる。
【０１２１】
そして、本実施の形態のデジタルカメラ１では、フォーカルプレーンシャッターユニット１１０のチャージ部１２４がグリップ部１２内に配置される。これにより、手持ち撮影する際、シャッター幕１１６の回転中心付近をグリップでき、シャッター作動時の振動を効果的に抑制できる。すなわち、シャッター作動時に発生する振動の主な原因は、シャッター幕１１６のブレーキ時に受けるモーメントである。このモーメントは、シャッター幕１１６の回転中心を中心に発生する。シャッター幕１１６の回転中心付近をグリップすることにより、モーメントの影響を抑制でき、振動が発生するのを効果的に抑制できる。
【０１２２】
また、本実施の形態のデジタルカメラ１では、重量物であるバッテリー９２が、グリップ部１２とは反対側の端部に配置される。これにより、グリップ部１２を中心とした慣性モーメントを大きくでき、振動の発生を更に効果的に抑制できる。
【０１２３】
すなわち、本実施の形態のデジタルカメラ１では、シャッター幕１１６の回転中心付近をグリップするというフォーカルプレーンシャッターユニット１１０のレイアウトと、グリップ部１２を中心とした慣性モーメントを大きくするというバッテリー９２のレイアウトの相乗効果により、振動の発生を効果的に抑制できる。
【０１２４】
この点について更に詳しく説明する。シャッター幕１１６の回転中心をグリップ部１２に接近させ、更にグリップ部１２の反対側にバッテリー９２を配置することにより、重量物であるバッテリー９２をシャッター幕１１６の回転中心から遠ざけた位置に配置できる。同じ質量でも質点が回転の中心から離れるほど、その軸の慣性モーメントは大きくなるので、重量物であるバッテリー９２をシャッター幕１１６の回転中心から遠ざけた位置に配置することにより、シャッター幕１１６の駆動軸（回転軸）を中心とした回転モーメント（光軸と平行な軸周りの回転モーメント）を大きくできる。シャッター動作に起因して発生する振動は、シャッター幕１１６の駆動軸を中心に発生するので、シャッター幕１１６の駆動軸を中心とした回転モーメントを大きくすることにより、シャッター動作に起因した振動を抑制する方向の慣性モーメントを大きくできる。この結果、シャッター動作に起因して発生する振動をカメラ本体に伝達しにくくできる。これにより、振動の発生を効果的に抑制できる。
【０１２５】
特に、フォーカルプレーンシャッターユニット１１０については、チャージ部１２４と駆動部１２２とを並列して配置することにより、コンパクト化を実現しつつ、安定した動作でチャージできるという効果も奏する。
【０１２６】
また、バッテリー９２については、イメージセンサー７０とディスプレーユニット１００との間に配置することにより、カメラ本体１０の横方向の寸法をコンパクト化できるという効果を奏する。その一方でカメラ本体１０の厚さが厚くなるが、グリップ部１２を本体部１０Ａよりも薄くすることで、良好なグリップ性を確保できる。
【０１２７】
更に、カメラ本体１０の側面にバッテリーカバー４０を備え、横方向からバッテリー９２をバッテリー室９０に装填する構成とすることにより、バッテリー９２の交換作業を容易にできる。
【０１２８】
《変形例》
〈デジタルカメラ〉
上記実施の形態では、レンズ交換式のデジタルカメラに本発明を適用した場合を例に説明したが、本発明の適用は、これに限定されるものではない。レンズ一体式のデジタルカメラにも適用できる。
【０１２９】
上記実施の形態では、ノンレフレックス型のデジタルカメラに本発明を適用した場合を例に説明したが、レフレックス型のデジタルカメラにも適用できる。
【０１３０】
なお、本発明はレフレックス型のデジタルカメラに適用した場合に特に有効に作用する。ノンレフレックス型のデジタルカメラの場合、ミラーボックス、ペンタプリズム等がないことから全体が軽量になる。一方、シャッター作動時の振動はカメラが軽量になるほど顕著になる。シャッター作動時の振動を有効に抑制できる本発明は、ノンレフレックス型のデジタルカメラにおいて特に有効に作用する。
【０１３１】
〈フォーカルプレーンシャッターユニット〉
上記実施の形態では、シャッター幕を構成する先幕及び後幕が４枚のシャッター羽根で構成された場合を例に説明したが、先幕及び後幕を構成するシャッター羽根の数は、これに限定されるものではない。露光開口のサイズ等に合わせて適宜増減できる。
【０１３２】
また、駆動部及びチャージ部は、各々ユニット化して地板に組みつける構成とすることもできる。
【０１３３】
〈バッテリー〉
上記実施の形態では、バッテリーの形状を直方体形状としているが、バッテリーの形状は、これに限定されるものではない。板形状、円筒状とすることもできる。
【０１３４】
また、上記実施の形態では、カメラ本体にバッテリーを１つ装填する構成としているが、複数個のバッテリーを装填する構成とすることもできる。
【符号の説明】
【０１３５】
１        デジタルカメラ
２        レンズ
１０      カメラ本体
１０Ａ    本体部
１０Ｂ    張出部
１２      グリップ部
１４      レンズマウント
１６      メインディスプレー
１８      サブディスプレー
２０      電子ビューファインダー
２０Ａ    接眼部
２２      グリップ
２４      サムレスト
３０      シャッターボタン
４０      バッテリーカバー
７０      イメージセンサー
８０      メイン基板
８２      切欠き部
９０      バッテリー室
９０Ａ    バッテリー挿入口
９２      バッテリー
１００    ディスプレーユニット
１１０    フォーカルプレーンシャッターユニット
１１２    露光開口
１１４    地板
１１６    シャッター幕
１１６Ａ  先幕
１１６Ｂ  後幕
１１６ａ  シャッター羽根
１１６ｂ  シャッター羽根
１１８Ｂ  後幕駆動アーム
１２０    駆動ユニット
１２２    駆動部
１２４    チャージ部
１２４Ａ  先幕駆動軸
１２４Ｂ  後幕駆動軸
１２６Ａ  先幕駆動レバー
１２６Ｂ  後幕駆動レバー
１２６ａ  先幕駆動ピン
１２６ｂ  後幕駆動ピン
１２８Ａ  先幕付勢バネ
１２８Ｂ  後幕付勢バネ
１３０Ａ  先幕電磁石
１３０Ｂ  後幕電磁石
１３２Ａ  バネ受け
１３２Ｂ  バネ受け
１３４Ａ  バネ受け
１３４Ｂ  バネ受け
１３６Ａ  磁性体片
１３６Ｂ  磁性体片
１４０    チャージレバー
１４０Ａ  先幕チャージレバー
１４０Ｂ  後幕チャージレバー
１４０Ｃ  チャージギア
１４０Ｄ  回転軸
１４２    チャージモーター
１４４    回転伝達機構
１４６Ａ  コロ
１４６Ｂ  コロ
１４８    駆動ギア
ＧＡ      範囲
Ｌ        光軸
【図１】
0006467557.tif 000002
【図２】
0006467557.tif 000003
【図３】
0006467557.tif 000004
【図４】
0006467557.tif 000005
【図５】
0006467557.tif 000006
【図６】
0006467557.tif 000007
【図７】
0006467557.tif 000008
【図８】
0006467557.tif 000009
【図９】
0006467557.tif 000010
【図１０】
0006467557.tif 000011